(57)【特許請求の範囲】
【請求項１】
模様および色彩の少なくとも一方を背景画像として表示する複数の表示媒体と、
被写体と前記複数の表示媒体に表示される前記背景画像より構成される背景とを撮影する撮影手段と、
前記撮影された撮影画像を印刷する印刷手段と、
表示手段と、
ユーザからの入力を受付ける入力手段と、
前記表示手段に前記背景画像を表示して前記入力手段において前記背景画像を選択する選択手段と、
前記撮影手段における撮影時に、前記複数の表示媒体のうち、前記選択された背景画像が施される表示媒体を設置するように制御する制御手段とを備え、
前記複数の表示媒体には各々異なった模様または色彩が施され、前記複数の表示媒体の少なくとも１つは前記背景画像に透明部分を含み、前記複数の表示媒体が組合わされることで、前記表示媒体に表示される背景画像が重なって表示され、
前記複数の表示媒体は、前記撮影手段からの撮影方向の距離が異なり、少なくともその一部が重なるように設置され、
前記選択手段は、前記表示手段に、前記複数の表示媒体に表示される背景画像に含まれる模様と色彩とを組合わせた画像を表示し、前記入力手段において前記表示された前記組合わせた画像を選択する、写真自動販売機。
【請求項２】
模様および色彩の少なくとも一方を背景画像として表示する複数の表示媒体と、
被写体と前記複数の表示媒体に表示される前記背景画像より構成される背景とを撮影する撮影手段と、
前記撮影された撮影画像を印刷する印刷手段と、
表示手段と、
ユーザからの入力を受付ける入力手段と、
前記表示手段に前記背景画像を表示して前記入力手段において前記背景画像を選択する選択手段と、
前記撮影手段における撮影時に、前記複数の表示媒体のうち、前記選択された背景画像が施される表示媒体を設置するように制御する制御手段とを備え、
前記複数の表示媒体には各々異なった模様または色彩が施され、前記複数の表示媒体の少なくとも１つは前記背景画像に透明部分を含み、前記複数の表示媒体が組合わされることで、前記表示媒体に表示される背景画像が重なって表示され、
前記複数の表示媒体は、前記撮影手段からの撮影方向の距離が異なり、少なくともその一部が重なるように設置され、
前記選択手段は、前記表示手段に、前記複数の表示媒体に表示される背景画像に含まれる模様と色彩とを別個に表示し、前記入力手段において前記表示された模様と色彩とをそれぞれ選択する、写真自動販売機。
【請求項３】
前記表示媒体の上部に、前記表示媒体を巻取る巻取手段を備える、請求項１または２に記載の写真自動販売機。
【請求項４】
模様および色彩の少なくとも一方を背景画像として表示する複数の表示媒体を有し、前記複数の表示媒体には各々異なった模様または色彩が施されて前記複数の表示媒体の、少なくとも１つは前記背景画像に透明部分を含み、前記複数の表示媒体が組合わされることで、前記表示媒体に表示される背景画像が重なって表示される写真自動販売機を制御する方法であって、
前記複数の表示媒体は、撮影手段からの撮影方向の距離が異なり、少なくともその一部が重なるように設置され、
被写体と前記複数の表示媒体に表示される前記背景画像より構成される背景とを前記撮影手段で撮影する撮影ステップと、
前記撮影された撮影画像を印刷する印刷ステップと、
表示手段に前記背景画像を表示して、ユーザからの入力を受付ける入力手段において前記背景画像を選択する選択ステップと、
前記撮影ステップにおける撮影時に、前記複数の表示媒体のうち、前記選択された背景画像が施される表示媒体を設置するように制御する制御ステップとを備え、
前記選択ステップは、前記表示手段に、前記複数の表示媒体に表示される背景画像に含まれる模様と色彩とを組合わせた画像を表示し、前記入力手段において前記表示された前記組合わせた画像を選択する、写真自動販売機を制御する制御方法。
【請求項５】
模様および色彩の少なくとも一方を背景画像として表示する複数の表示媒体を有し、前記複数の表示媒体には各々異なった模様または色彩が施されて前記複数の表示媒体の、少なくとも１つは前記背景画像に透明部分を含み、前記複数の表示媒体が組合わされることで、前記表示媒体に表示される背景画像が重なって表示される写真自動販売機を制御する方法であって、
前記複数の表示媒体は、撮影手段からの撮影方向の距離が異なり、少なくともその一部が重なるように設置され、
被写体と前記複数の表示媒体に表示される前記背景画像より構成される背景とを前記撮影手段で撮影する撮影ステップと、
前記撮影された撮影画像を印刷する印刷ステップと、
表示手段に前記背景画像を表示して、ユーザからの入力を受付ける入力手段において前記背景画像を選択する選択ステップと、
前記撮影ステップにおける撮影時に、前記複数の表示媒体のうち、前記選択された背景画像が施される表示媒体を設置するように制御する制御ステップとを備え、
前記選択ステップは、前記表示手段に、前記複数の表示媒体に表示される背景画像に含まれる模様と色彩とを別個に表示し、前記入力手段において前記表示された模様と色彩とをそれぞれ選択する、写真自動販売機を制御する制御方法。
【請求項６】
模様および色彩の少なくとも一方を背景画像として表示する複数の表示媒体を有し、前記複数の表示媒体には各々異なった模様または色彩が施されて前記複数の表示媒体の、少なくとも１つは前記背景画像に透明部分を含み、前記複数の表示媒体が組合わされることで、前記表示媒体に表示される背景画像が重なって表示される写真自動販売機を制御する方法をコンピュータに実行させるプログラムであって、
前記複数の表示媒体は、撮影手段からの撮影方向の距離が異なり、少なくともその一部が重なるように設置され、
被写体と前記複数の表示媒体に表示される前記背景画像より構成される背景とを前記撮影手段で撮影する撮影ステップと、
前記撮影された撮影画像を印刷する印刷ステップと、
表示手段に前記背景画像を表示して、ユーザからの入力を受付ける入力手段において前記背景画像を選択する選択ステップと、
前記撮影ステップにおける撮影時に、前記複数の表示媒体のうち、前記選択された背景画像が施される表示媒体を設置するように制御する制御ステップとを実行させ、
前記選択ステップは、前記表示手段に、前記複数の表示媒体に表示される背景画像に含まれる模様と色彩とを組合わせた画像を表示し、前記入力手段において前記表示された前記組合わせた画像を選択する、写真自動販売機を制御する制御プログラム。
【請求項７】
模様および色彩の少なくとも一方を背景画像として表示する複数の表示媒体を有し、前記複数の表示媒体には各々異なった模様または色彩が施されて前記複数の表示媒体の、少なくとも１つは前記背景画像に透明部分を含み、前記複数の表示媒体が組合わされることで、前記表示媒体に表示される背景画像が重なって表示される写真自動販売機を制御する方法をコンピュータに実行させるプログラムであって、
前記複数の表示媒体は、撮影手段からの撮影方向の距離が異なり、少なくともその一部が重なるように設置され、
被写体と前記複数の表示媒体に表示される前記背景画像より構成される背景とを前記撮影手段で撮影する撮影ステップと、
前記撮影された撮影画像を印刷する印刷ステップと、
表示手段に前記背景画像を表示して、ユーザからの入力を受付ける入力手段において前記背景画像を選択する選択ステップと、
前記撮影ステップにおける撮影時に、前記複数の表示媒体のうち、前記選択された背景画像が施される表示媒体を設置するように制御する制御ステップとを実行させ、
前記選択ステップは、前記表示手段に、前記複数の表示媒体に表示される背景画像に含まれる模様と色彩とを別個に表示し、前記入力手段において前記表示された模様と色彩とをそれぞれ選択する、写真自動販売機を制御する制御プログラム。
【請求項８】
請求項６または７に記載の写真自動販売機の制御プログラムを記録した、コンピュータ読取可能な記録媒体。
【発明の詳細な説明】
【０００１】
【発明の属する技術分野】
この発明は写真自動販売機、写真自動販売機の制御方法、写真自動販売機の制御プログラム、および写真自動販売機の制御プログラムを記録した記録媒体に関し、特に、ユーザの所望する背景を用いた写真を提供することのできる写真自動販売機、写真自動販売機の制御方法、写真自動販売機の制御プログラム、および写真自動販売機の制御プログラムを記録した記録媒体に関する。
【０００２】
【従来の技術】
コイン等の対価を投入することで、自動的に使用者の写真を撮影しプリントする写真自動販売機や、さらに撮影された使用者の画像と予め記憶されている画像であって使用者から選択された画像とを組合せた写真をプリントする写真自動販売機などが広く知られている。
【０００３】
【発明が解決しようとする課題】
このような従来の写真自動販売機では、撮影用の背景として、背景を印刷した複数枚のカーテンを用いることができる。また、被写体の背後に照明装置を設けてその照明光の色を変えることができる。
【０００４】
このようにして、使用者に、オリジナリティーの高い背景を提供する写真自動販売機はあるものの、より多くの種類の背景を使用者に提供することができないという問題があった。
【０００５】
また、上述のようなカーテンには、しわやよじれが発生しやすい。このしわやよじれは、撮影時に影として写真に入込み、被写体と背景とを分離する必要のある画像処理（例えばクロマキー処理）等においては、処理の妨げになるという問題がある。
【０００６】
さらに、このようなカーテンは布地であるため、製造技術上の理由により、色や柄の表現が単調になり、表現の幅の広い背景を提供することができないという問題があった。
【０００７】
本発明はこのような問題に鑑みてなされたものであり、オリジナリティーの高い背景であって、美しい写真を提供することのできる写真自動販売機、写真自動販売機の制御方法、写真自動販売機の制御プログラム、および写真自動販売機の制御プログラムを記録した記録媒体を提供することを目的とする。
【０００８】
【課題を解決するための手段】
上記目的を達成するために、本発明のある局面に従うと、写真自動販売機は、模様および色彩の少なくとも一方を背景画像として表示する複数の表示媒体と、被写体と複数の表示媒体に表示される背景画像より構成される背景とを撮影する撮影手段と、撮影された撮影画像を印刷する印刷手段とを備え、複数の表示媒体には各々異なった模様または色彩が施され、複数の表示媒体の少なくとも１つは背景画像に透明部分を含み、複数の表示媒体が組合わされることで、表示媒体に表示される背景画像が重なって表示される。
また、写真自動販売機は、表示手段と、ユーザからの入力を受付ける入力手段と、表示手段に背景画像を表示して入力手段において背景画像を選択する選択手段と、撮影手段における撮影時に、複数の表示媒体のうち、選択された背景画像が施される表示媒体を設置するように制御する制御手段とをさらに備えることが好ましい。
さらに、選択手段は、表示手段に、複数の表示媒体に表示される背景画像に含まれる模様と色彩とを別個に表示し、入力手段において表示された模様と色彩とをそれぞれ選択することがより好ましい。
または、選択手段は、表示手段に、複数の表示媒体に表示される背景画像に含まれる模様と色彩とを組合わせた画像を表示し、入力手段において表示された組合わせた画像を選択することがより好ましい。
また、複数の表示媒体は、撮影手段からの撮影方向の距離が異なり、少なくともその一部が重なるように設置されることが好ましい。
また、写真自動販売機は、表示媒体の上部に、表示媒体を巻取る巻取手段を備えることが好ましい。
【００２２】
本発明の他の局面に従うと、写真自動販売機は、撮影時に、被写体の背後に設置される、少なくとも一部に透明部分を含む第１の画像を表示する第１の表示媒体と、撮影時に、第１の表示媒体の被写体よりも遠い側に設置される、第２の画像を表示する第２の表示媒体と、被写体の前方に、第１の表示媒体および第２の表示媒体に相対する向きで設置される撮影手段と、撮影手段で撮影される撮影画像を印刷する印刷手段とを備え、撮影画像には、被写体の画像と、第１の画像の少なくとも一部および透明部分を介して撮影手段に到達する第２の画像の少なくとも一部を含んで構成される背景画像とが含まれる。
本発明のさらに他の局面に従うと、写真自動販売機の制御方法は、模様および色彩の少なくとも一方を背景画像として表示する複数の表示媒体を有し、複数の表示媒体には各々異なった模様または色彩が施されて複数の表示媒体の、少なくとも１つは背景画像に透明部分を含み、複数の表示媒体が組合わされることで、表示媒体に表示される背景画像が重なって表示される写真自動販売機を制御する方法であって、被写体と複数の表示媒体に表示される背景画像より構成される背景とを撮影する撮影ステップと、撮影された撮影画像を印刷する印刷ステップとを備える。
本発明のさらに他の局面に従うと、写真自動販売機の制御プログラムは、模様および色彩の少なくとも一方を背景画像として表示する複数の表示媒体を有し、複数の表示媒体には各々異なった模様または色彩が施されて複数の表示媒体の、少なくとも１つは背景画像に透明部分を含み、複数の表示媒体が組合わされることで、表示媒体に表示される背景画像が重なって表示される写真自動販売機を制御する方法をコンピュータに実行させるプログラムであって、被写体と複数の表示媒体に表示される背景画像より構成される背景とを撮影する撮影ステップと、撮影された撮影画像を印刷する印刷ステップとを実行させる。
本発明のさらに他の局面に従うと、記録媒体は上述の写真自動販売機の制御プログラム
を記録した、コンピュータ読取可能な記録媒体である。
【００２３】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２４】
［第１の実施の形態］
まず、第１の実施の形態における写真自動販売機について説明を行なう。
【００２５】
図１は、本実施の形態における写真自動販売機の外観の具体例を示す図である。
【００２６】
図１を参照して、本実施の形態における写真自動販売機は、筐体３の内部に写真撮影装置１が備えられ、被写体９０であるユーザ９と相対する。説明の便宜上、筐体３において、ユーザ９と対向する側を前面とする。すなわち、図１の筐体３に関して紙面の左側が筐体３の前側、右側を筐体３の後側とする。なお、被写体９０としては、任意の物体を選択することができるが、本実施の形態においては、ユーザ９であるものとする。
【００２７】
被写体９０の背後には、撮影時の背景である背景２が配備される。なお、背景２については、後に具体例を挙げ、詳細な説明を行なう。
【００２８】
筐体３後部の内壁の色、あるいは模様は、撮影が効果的に行なわれるものであれば、限定されるものではない。具体的には、クロマキー合成を行なう場合は青色が施されている。その他、間接照明の効果を引出すために白色が施されていてもよいし、被写体９０への色の影響（色被り）を考慮し、ピンク色、赤色および黄色等が施されていてもよい。
【００２９】
図２は、図１に示される写真撮影装置１の外観の具体例を示す図である。
図２を参照して、写真撮影装置１の正面には、上部カメラ１０ａおよび下部カメラ１０ｂが備えられ、ユーザ９からコイン投入口５０に対価（コイン）を投入されることで、被写体９０を正面および上方向から撮影する。
【００３０】
写真撮影装置１の正面に備えられるスピーカ７０は、ＢＧＭや各種指示等の音声情報を出力する。
【００３１】
撮影された被写体９０の画像は、上部ディスプレイ３０ａおよび下部ディスプレイ３０ｂに表示される。また、ユーザ９は、正面に備えられる上部ディスプレイ３０ａに表示される撮影画像を見ながら、好みのポーズを取ることができる。
【００３２】
さらに写真撮影装置１の正面に、ユーザ９からの各種指示等の入力を受付ける操作部４０を備える。操作部４０は、下部ディスプレイ３０ｂと入力装置４１とから構成される。下部ディスプレイ３０ｂは、タッチパネル式の入力手段を備える。ユーザ９は、ペン形状の入力装置４１で下部ディスプレイ３０ｂに表示されるボタンにタッチし、各種指示等の入力や、印字画像の決定を行なうことができる。また、下部ディスプレイ３０ｂに直に文字の書込みや、任意の図形の描込みを行なうことができる。また、図２に示される如く、ペン形状の入力装置４１を複数備えることもできる。その場合、複数のユーザ９によって、上述の指示の入力や、図形の描込み等を行なうことができる。また、入力装置４１は、コントローラ式の入力装置であってもよいし、その他の形態の入力装置であってもよい。
【００３３】
ユーザ９の指示によって、撮影画像は、紙やプラスチック等のカード類、金属の装身具等の印刷媒体に印刷され、取出口６０より排出されることでユーザ９に提供される。
【００３４】
なお、写真撮影装置１は、上述の形態に限定されず、その他の様々な機能が備えられていてもよい。
【００３５】
さらに図３は、図２に示される写真撮影装置１の構成を示す機能ブロック図である。
【００３６】
図３を参照して、写真撮影装置１は、写真撮影装置１全体の制御を行なう制御部１０１を備える。制御部１０１は、操作部４０より、操作信号を受信する。また、コイン投入口５０の内部に備えられるコイン検出部５１より、コイン検出信号を受信する。
【００３７】
記憶部１０２は、複数の画像データおよびサウンドデータを記憶する。記憶部１０２に記憶されている画像データには、デモンストレーション画像（以下、デモ画像という）、および印刷媒体の表面に印刷されるべき複数の装飾画像などが含まれる。また、記憶部１０２は、制御部１０１において実行されるプログラムを記憶する。さらに、記憶部１０２は、制御部１０１でプログラムが実行される際の、一時的な記憶領域ともなる。
【００３８】
グラフィックＩ／Ｆ（インタフェース）回路１０３は、記憶部１０２から記憶されている画像データを読出し、所定の記憶画像信号に変換して、画像合成部１０６および表示選択回路１０７に送信する。
【００３９】
サウンドＩ／Ｆ回路１０４は、記憶部１０２から記憶されているサウンドデータを読出し、所定のサウンド信号に変換して、スピーカ７０に送信する。
【００４０】
上部カメラ１０ａおよび下部カメラ１０ｂからなるカメラ１０より送られる被写体９０の画像信号は、画像補正部１０５で受信され、画像補正部１０５は、被写体９０の画像を補正する。画像補正部１０５では、画像の歪補正、色調補正、画像の変形、回転、および反転等の、必要な処理を行なう。画像補正部１０５で補正された被写体９０の画像信号は、画像合成部１０６に送信される。
【００４１】
画像合成部１０６は、被写体９０の画像信号を第１画像信号として受信し、グラフィックＩ／Ｆ回路１０３から送信される記憶画像の画像信号を第２画像信号として受信する。そして第１画像と第２画像とを合成する。画像合成部１０６での画像の合成手法は、実用新案登録第３０４３８５５号および実用新案登録第３０５１７７６号などに詳述されているため、ここではその詳細な説明を省略する。なお、画像合成部１０６は複数の合成手法を備え、制御部１０１からの制御信号により最適な合成手法を選択することが望ましい。合成された画像は、表示選択回路１０７およびプリンタ６１に送信される。
【００４２】
表示選択回路１０７は、画像合成部１０６からの合成画像信号と、グラフィックＩ／Ｆ回路１０３からの記憶画像信号とを受信し、制御部１０１からの制御信号に基づいて、一方の画像信号を選択して、上部ディスプレイ３０ａおよび下部ディスプレイ３０ｂからなるディスプレイ３０に送信する。ディスプレイ３０は、表示選択回路１０７からの画像信号を受信して画像を表示する。
【００４３】
プリンタコントローラ１０９は、制御部１０１からの制御信号に基づいて、プリンタ６１を制御する。プリンタ６１は、プリンタコントローラ１０９の制御により、画像合成部１０６からの合成画像信号を受信し、合成画像データに基づいて印刷画像データを生成して、当該印刷画像を所定の印刷媒体に印刷する。
【００４４】
照明制御部１０８は、カメラ１０による撮影手段と同期して上部照明２０ａおよび下部照明２０ｂからなる照明２０が照明するよう、照明２０の同期制御を行なう。
【００４５】
カウンタ１１０は、コイン投入数などをカウント表示する。
このような写真撮影装置１を備える一般的な写真自動販売機では、通常以下のような動作が行なわれる。すなわち、ユーザ９がコインを投入するまでは、制御部１０１からの制御信号に基づいて、表示選択回路１０７は、グラフィックＩ／Ｆ回路１０３側を選択している。このため、記憶部１０２に予め記憶されているデモ画像のデータがグラフィックＩ／Ｆ回路１０３に転送されて、デモ画像がディスプレイ３０に表示されている。また、記憶部１０２に予め記憶されているＢＧＭのサウンドデータがサウンドＩ／Ｆ回路１０４に転送されて、スピーカ７０よりＢＧＭが流されている。
【００４６】
ユーザ９がコインを投入して、コイン検出部５１から検出信号が制御部１０１に送信されると、制御部１０１からの制御信号により、記憶部１０２に記憶された所定の画像データおよびサウンドデータが読出され、グラフィックＩ／Ｆ回路１０３およびサウンドＩ／Ｆ回路１０４に送信される。そして、ディスプレイ３０およびスピーカ７０から、表示および音声により、ユーザ９に適宜指示がなされ、以下に示す動作が行なわれる。
【００４７】
図４は、写真撮影装置１が備えられる本実施の形態の写真自動販売機において実行される処理を示すフローチャートである。図４のフローチャートに示される処理は、写真撮影装置１の制御部１０１が、記憶部１０２に記憶されるプログラムを実行することにより実現される。
【００４８】
図４を参照して、まず、デモ画面が表示されている時に、ユーザ９より必要な枚数のコインを受付けると、コイン検出部５１がコインの投入を検出する（Ｓ１０１）。制御部１０１はコイン検出部５１から検出信号を受信し、記憶部１０２に記憶された所定の画像データおよびサウンドデータを読出す。読出された画像データおよびサウンドデータは、グラフィックＩ／Ｆ回路１０３およびサウンドＩ／Ｆ回路１０４に送信される。そして、ディスプレイ３０からの表示およびスピーカ７０からの音声によって、ユーザ９に適宜指示が出力される。
【００４９】
続いて、ユーザ９からの、所望の撮影方法の選択を受付ける（Ｓ１０３）。写真撮影装置１においては、１度の処理において、撮影を複数回行なうことができる。例えば、上部カメラ１０ａを用いて顔アップの撮影を行なうこともでき、また、下部カメラ１０ｂを用いて全身撮影を行なうこともできる。このようなバリエーションを考慮した撮影方法を予め複数設定することができ、ディスプレイ３０にそれらの撮影方法を表示することで、ユーザ９に選択をさせる。ユーザ９は、タッチペン等の入力装置４１を用いて選択することによって、所望する撮影方法を入力することができる。
【００５０】
なお、ステップＳ１０３で受付ける撮影方法の選択には、上述のカメラ１０による撮影方法の選択の他、照明の当て方等も適宜組合され、選択することができてもよい。
【００５１】
さらに引続いて、ユーザ９からの、所望の背景２の選択を受付ける（Ｓ１０４）。ステップＳ１０４で、ユーザ９の所望する背景２が選択されると、当該背景２が撮影されるように制御する。なお、所望する背景２に制御する方法については、後に具体的に説明を行なう。
【００５２】
ステップＳ１０３において選択された撮影方法と背景２とが決定すると、被写体９０をカメラ１０で撮影する（Ｓ１０５）。ステップＳ１０５における撮影処理は、複数回の所定回数行なわれてもよい。また、制限時間内で繰返し複数回行なわれてもよい。このとき、カメラ１０の移動の指示を入力装置４１より受付けることができる。
【００５３】
ステップＳ１０５における撮影が終了すると、撮影画像がディスプレイ３０に表示される。そして、ユーザ９より、その画面に対する第２画像の入力を受付ける（Ｓ１０７）。ステップＳ１０７における第２画像の入力の受付けは、所定の制限時間に達するまで行なうことができる。ディスプレイ３０に、第２画像を入力するために用いるツールとして、ペン、スタンプ、背景、色、線種、および柄等を表示させ、まず、ユーザ９からツールの選択を受付ける。そして、選択されたツールを用いた、任意の画像やテキスト等の第２画像の入力を受付ける。
【００５４】
ステップＳ１０７において第２画像の入力が終了すると、ステップＳ１０５で撮影された撮影画像と上述の第２画像とを合成した画像を、ディスプレイ３０に表示する。撮影画像と第２画像とは、共に複数の画像があり、ディスプレイ３０には、複数の合成された画像が表示される。そして、ユーザ９より、その中から印刷する画像の選択を受付ける（Ｓ１０９）。
【００５５】
さらに、ステップＳ１０９で選択された印刷する画像を、記憶部１０２に保存された複数のレイアウトに対応させてディスプレイ３０に表示する。レイアウトとしては、所定の印刷媒体のサイズを、８分割、１６分割、２４分割および３２分割にしたレイアウト等がある。そして、ディスプレイ３０に表示された上述の複数のレイアウトの中から、ユーザ９より、所望するレイアウトの選択を受付ける（Ｓ１１１）。
【００５６】
ステップＳ１１１でレイアウトの選択の受付けが終了すると、受付けたレイアウトと、ステップＳ１０９で受付けた印刷する画像の画像データとを、プリンタコントローラ１０９に指示信号として送信する。そして、プリンタ６１にて所定の印刷媒体の表面に印刷させ（Ｓ１１３）、印刷された印刷媒体を取出口６０から排出することでユーザ９に提供する。
【００５７】
以上で写真撮影装置１における処理は終了し、写真自動販売機では、次にコインが投入されるまで、上記のコイン投入前と同様に、ＢＧＭが流され、デモ画像が表示される。
【００５８】
以上が、本実施の形態の写真撮影装置１を備える写真自動販売機についての説明である。
【００５９】
次に、第１の実施の形態における背景２について説明を行なう。第１の実施の形態における写真自動販売機は、レンチキュラレンズを用いた背景２を備えることを特徴とする。
【００６０】
レンチキュラレンズを用いた画面は、レンチキュラレンズの屈折を利用した画面であって、所定の位置や角度からは、レンチキュラレンズの背後の所定の位置にある画面しか見ることができない。そのため、わずかに位置や角度を変えることによって、レンチキュラレンズの背後にある、異なった画面を見ることができることを特徴とする画面である。
【００６１】
図５は、第１の実施の形態における背景２の構成の概略図である。図５を参照して、本実施の形態における背景２は、背景画面２１上であって、撮影方向（図５においては矢印の方向）より見て前面に、横向きのレンチキュラレンズ２２を、高さ方向に複数備えることを特徴とする。レンチキュラレンズ２２は、半円柱形状の、いわゆるかまぼこ型の透明のレンズである。
【００６２】
さらに、背景画面２１について、具体例を挙げ、具体例に沿った詳細な説明を行なう。
【００６３】
図６は、背景画面２１の具体例を示す図である。
図６を参照して、背景画像として異なる背景の描かれた（または写真であってもよい）複数の背景画像である背景画像Ａ，Ｂ，Ｃが用意されているものとする。このとき、図６を参照して、背景画面２１は、各々の背景画像Ａ，Ｂ，Ｃの縦方向を、等分割した分割画像から構成される。
【００６４】
より具体的には図６を参照して、背景画像Ａの縦方向を３等分割して、上から順にＡ１、Ａ２およびＡ３の分割画像を作成するものとする。また、同様に、Ｂ１、Ｂ２およびＢ３の分割画像と、Ｃ１、Ｃ２およびＣ３の分割画像とを作成するものとする。
【００６５】
このとき、背景画面２１は、高さ方向に、上から順に分割画像Ａ１、Ｂ１、Ｃ１、Ａ２、Ｂ２、Ｃ２、Ａ３、Ｂ３およびＣ３と、各々の背景画像Ａ，Ｂ，Ｃのｎ番目の分割画像を並べることで構成される。
【００６６】
なお、レンチキュラレンズを用いた画像の特徴として、図７に示される如く、１つのレンチキュラレンズ２２に、各々の背景画像Ａ，Ｂ，Ｃのｎ番目の分割画像が全て収められる。図７は、背景２を真横から見た具体例を示す図である。図７を参照して、具体的には、上から１番目のレンチキュラレンズ２２の背後には、分割画像Ａ１，Ｂ１，Ｃ１が収められる。このため、背景画像の数がより多くなると、各背景画像の分割幅がより小さく（細く）なる。すなわち、各背景画像の分割数がより多くなる。また、レンチキュラレンズ２２の幅が小さくなっても同様である。
【００６７】
本実施の形態における写真自動販売機が、上述のレンチキュラレンズ２２を用いた背景２を備えることで、図４のステップＳ１０４に示される背景２の選択を行なう際に、次のような処理が実行される。以下に、図８に示される具体例にそって、具体的に説明を行なう。図８は、第１の実施の形態における図４のステップＳ１０４での処理の、第１の具体例を示す図である。
【００６８】
図８を参照して、ユーザ９は、下部ディスプレイ３０ｂに表示される背景２の表示より、所望する背景を選択する。このとき、背景２として、下部ディスプレイ３０ｂには、背景画像Ａ、ＢおよびＣが表示される。
【００６９】
すると、写真撮影装置１の制御部１０１は、選択された背景画像に応じた位置にカメラ１０を移動させるよう制御する。
【００７０】
図９は、カメラ１０の位置を移動させる制御についての具体例を示す図である。
【００７１】
図９を参照して、カメラ１０が位置Ｐ１にあるとき、レンチキュラレンズ２２において光が屈折することによって、カメラ１０からは、背景２の背景画面２１に収められる分割画像Ａ１、Ａ２およびＡ３のみしか見ることができない。したがって、図４のステップＳ１０４で、背景２として背景画像Ａが選択された場合には、カメラ１０を位置Ｐ１に移動させる制御を行なうことで、ユーザ９が選択した背景画像Ａを背景とする写真を撮影することができる。
【００７２】
さらに、図９を参照して、図４のステップＳ１０４で、背景２として背景画像ＢまたはＣが選択された場合には、同様に、カメラ１０を位置Ｐ２またはＰ３に移動させる制御を行なうことで、ユーザ９が選択した背景画像ＢまたはＣを背景２とする写真を撮影することができる。
【００７３】
なお、説明の便宜上、図９においては、カメラ１０に対してレンチキュラレンズ２２の幅の方が大きいサイズで示されているものの、実際は、レンチキュラレンズ２２の幅は、カメラ１０の大きさに比較してはるかに小さいものである。そのため、実際にはカメラ１０の位置Ｐ１〜Ｐ３の違いは分割画像の幅程度の、ごくわずかな違いである。
【００７４】
さらに、図１０は、第１の実施の形態における図４のステップＳ１０４での処理の、第２の具体例を示す図である。
【００７５】
図１０を参照して、第２の具体例においては、ユーザ９が、所望する背景を選択すると、写真撮影装置１の制御部１０１は、選択された背景画像に応じた位置に、背景２を移動させるよう制御する。すなわち、図９に示された場合とは逆に、カメラ１０の位置を固定して、カメラ１０と背景２との相対的な位置関係が図９に示される位置関係になるように、背景２を移動させる制御を行なうことで、背景２をユーザ９が選択した背景画像ＢまたはＣに切換えることができる。
【００７６】
このように、カメラ１０を移動する制御に替えて、背景２を移動させる制御を行なうことでも、背景画像を切換えてユーザの所望する背景画像を用いた写真を提供することができる。なお、背景２の位置が制御されるためには、写真自動販売機は、背景２の上または下部に、図１には図示されない軸位置が中心ではない円形のカム等を用いた位置移動手段や、ソレノイドコイル等の磁力を利用した位置移動手段等の、所定距離のみ移動できる位置移動手段を備える。
【００７７】
さらに上述のカメラ１０または背景２の移動は、写真撮影装置１の制御部１０１がプログラムを実行することで制御されてもよいし、ユーザ９の操作によって機械的に制御されてもよい。
【００７８】
なお、本実施の形態における写真自動販売機が、上述のレンチキュラレンズ２２を用いた背景２を備えることで、上述の如くレンチキュラレンズ２２を用いた背景２を移動させて背景画像を切換える場合、実際の背景画像の移動に要する長さよりもはるかに少ない長さの移動だけで、背景画像を切換えることができる。具体的には、図１１を用いて説明する。図１１は、背景２を移動させる場合の、移動長さについての具体例を示す図である。
【００７９】
図１１を参照して、隣合う背景画像に（例えば背景画像ＡからＢへ）、背景２をカメラ１０の撮影範囲から高さ方向に移動させる場合は、実際の背景画像Ａ，Ｂ，Ｃの高さである長さＬ１移動させる必要がある。しかし、分割画像から構成される背景画面２１とレンチキュラレンズ２２とからなる背景２を、隣合う背景画像に移動させる場合は、分割画像の高さである長さであって、長さＬ１よりもはるかに小さい長さであるＬ２移動させるのみで足りる。
【００８０】
本実施の形態における写真自動販売機が、上述のレンチキュラレンズ２２を用いた背景２を備えることで、１つの背景２のみを用いて複数種類の背景画像からユーザの所望する背景画像に切換えて、ユーザの所望する背景を用いた写真を提供することができる。また、カメラの位置をわずかに移動させる、あるいは、背景２の位置をわずかに移動させるといった容易な制御によって、背景画像をユーザの指示によって任意に切換えることができる。また、顔アップや全身写真等、撮影方法の切換えに伴なってカメラ１０の位置が移動する場合や、撮影するカメラ１０が切替る場合に、背景２の背景画像を切換えることなく、異なった背景の写真を撮影することができる。
【００８１】
さらに、写真自動販売機がこのような背景２を複数備えて、背景２のユーザの指示によって切換えることができる場合、写真自動販売機は、写真の背景として多くの背景画像を備えることができる。
【００８２】
このため、ユーザの背景の選択肢が各段に広がり、よりユーザの要望を満たす、バリエーション豊かな写真を提供することができる。
【００８３】
［第２の実施の形態］
次に、第２の実施の形態における写真自動販売機について説明を行なう。
【００８４】
図１２は、第２の実施の形態における写真自動販売機の外観の具体例を示す図である。
【００８５】
第２の実施の形態の写真自動販売機は、上述の図１に示される第１の実施の形態の写真自動販売機とは異なる背景２を備える写真自動販売機である。なお、本実施の形態における写真自動販売機に備えられる写真撮影装置１は、図２および図３に示される第１の実施の形態における写真撮影装置１の外観および構成と同様であるため、ここでの説明は繰返さない。
【００８６】
図１２を参照して、本実施の形態の写真自動販売機は、背景板２３と、複数枚の背景画像と、前記背景画像を巻取るための装置である巻取装置２５とからなる背景２を備えることを特徴とする。なお、ここでは、背景画像を具体的にカーテン２４ａ〜ｄ（カーテン２４ａ〜ｄを代表させてカーテン２４と言う）である表示媒体に表示されているものとして図示し説明を行なうが、背景画像はカーテンに限定された表示媒体に表示されるものではなく、巻取可能な表示媒体であって、背景画像が印刷されたスクリーン等の表示媒体であってもよい。
【００８７】
さらに、上述の複数のカーテン２４を備える背景２について、詳細な説明を行なう。
【００８８】
図１３は、第２の実施の形態における背景２の構成の概略図である。図１３を参照して、本実施の形態における背景２は、撮影方向（図１３においては矢印の方向）より見て最前面（被写体９０に最も近い位置）に、背景板２３を備える。
【００８９】
背景板２３は、アクリル等の板であり、無色透明な板である。そして、筐体３に上下部共に固定される。このことによって、ユーザ９は、写真自動販売機を利用する際にカーテン２４および巻取装置２５に触れることがない。すなわち、背景板２３は、ユーザ９とカーテン２４とを隔離するための隔離手段である。そのため、ユーザ９自身や衣服がカーテン２４や巻取装置２５の駆動に巻込まれる等のトラブルを確実に防止することができ、安全性を確保することができる。また、カーテン２４の汚れや破損を防止することもできる。
【００９０】
また、背景２は、上述の背景板２３の背後に複数枚のカーテン２４を備える。カーテン２４は、各々巻取装置２５で、その上下部を筐体３に固定される。
【００９１】
巻取装置２５は、ここには詳細を図示しないが、カーテン２４を巻取る巻取手段と、巻取ったカーテン２４を収納する収納手段と、収納されたカーテン２４を繰出して設置する繰出手段とを備える。そして、巻取装置２５は、必要に応じて、カーテン２４を上または下に完全に巻取る。また、必要に応じて、上または下に巻取られたカーテン２４を繰出して設置する。このような巻取装置２５の巻取動作は、写真撮影装置１の制御部１０１がプログラムを実行することによって制御されてもよいし、ユーザ９からの指示によって機械的に制御されてもよい。なお、巻取装置２５は、カーテン２４の上または下部の少なくとも一方に備えられ、カーテン２４を上または下方向のどちらか１方向に巻取りあるいは繰出し動作を行なってもよい。
【００９２】
さらに図１３を参照して、上述のカーテン２４には、各々異なった模様あるいは彩色を施されていることを特徴とする。より具体的には、撮影方向からみて最前位置にあるカーテン２４ａおよびカーテン２４ｂは、模様部分と無色透明部分とからなる模様を施されたカーテンである。また、さらに背後にあるカーテン２４ｃおよび２４ｄは、１色あるいは複数色からなる色彩を施された透明ではないカーテンである。
【００９３】
なお、カーテン２４の数は、上述のカーテン２４ａ〜ｄの４に限定されるものではないが、その配備される位置の関係は、上述の如く、模様を施されたカーテンが撮影方向から見て前方に配備され、色彩を施された透明ではないカーテンがその後方に配備される。このように配備されることで、模様を施されたカーテンと色彩を施された透明ではないカーテンとを設置することで、背景板２３を介して、前方にあるカーテンに施される模様と後方にあるカーテンに施される色彩とが重なって（合成されて）見える。
【００９４】
上述の本実施の形態の写真自動販売機においても、上述の第１の実施の形態において図４に示される処理が実行される。
【００９５】
第２の実施の形態における図４のステップＳ１０４では、写真撮影装置１は、ユーザ９から、写真の背景として所望するカーテン２４の入力を受付ける。すなわち、ユーザ９は、図１４に示される表示画面より、上述のカーテン２４ａ〜２４ｄに施される模様と、色彩とを各々選択することができる。図１４は、第２の実施の形態において、背景を選択するために表示される下部ディスプレイ３０ｂの表示画面の具体例を示す図である。図１４に示される下部ディスプレイ３０ｂの表示画面においては、背景２に含まれるカーテン２４に施される模様または色彩が各々表示される。そしてユーザ９は、図１４に示される下部ディスプレイ３０ｂの表示画面より、模様および色彩を組合せて選択することができる。
【００９６】
なお、図１４に示される下部ディスプレイ３０ｂの表示画面においては、予めカーテン２４ａ〜２４ｄに施される模様と色彩とを組合せた画像を表示してユーザ９に選択させてもよい。そして、ユーザ９からは、模様と色彩とが組合された画像の選択を受付け、前記模様と色彩とが施された所定のカーテン２４が選定される仕組みであってもよい。
【００９７】
図４のステップＳ１０４において、カーテン２４に施される模様と、色彩との選択をユーザ９から受付けると、写真撮影装置１の制御部１０１は、選択された模様および色彩が施されるカーテン２４を選定し、所定のカーテン２４を設置するように巻取装置２５を制御する。あるいは、選択されていない模様および色彩が施されるカーテン２４を収納するように巻取装置２５を制御する。
【００９８】
図１５は、所定のカーテン２４を設置する制御についての具体例を示す図である。図１５を参照して、制御部１０１は、ユーザ９より選択された模様が施されるカーテン２４ａと色彩が施されるカーテン２４ｃとを、撮影の背景として設置するように巻取装置２５を制御する。また、ユーザ９の操作によって、機械的に制御されてもよい。
【００９９】
このように制御されることで、図１６に示される如く、カーテン２４ａに施される模様とカーテン２４ｃに施される色彩とを組合せた画面を背景とした写真がカメラ１０によって撮影される。図１６は、所定のカーテン２４を組合せて背景とする画面が構成される具体例を示す図である。
【０１００】
なお、選択するカーテン２４の数は上述の具体例に限定されるものではなく、模様が施されるカーテン２４は、複数選択されてもよい。また、上述の具体例においては、色彩を施されたカーテン２４は、透明ではないカーテンであるものとして説明を行なったが、色彩を施された透明なカーテンであっても構わない。この場合、筐体３の背後には、白色等、カーテンに施された色彩と干渉しない色彩が施されていることが望ましい。また、最後方に備えられるカーテン２４のみ透明ではないカーテンであってもよい。このようにすることで、複数の色彩が施されるカーテン２４を選択し、色の組合せの入力を受付けることもできる。このため、模様と色彩との組合せのみではなく、複数の色彩による色彩の組合せも選択することができる。
【０１０１】
本実施の形態における写真自動販売機が、上述の複数のカーテン２４（表示媒体）からなる背景２を備えることで、模様および色彩を任意に組合せた背景を得ることができる。また、上述の背景２が限られた数のカーテン２４を備える場合であっても、ユーザの選択によって任意に組合せて写真の背景を得ることができるため、ユーザの背景の選択肢が各段に広がる。このため、よりユーザの要望を満たす、オリジナリティの高い写真を提供することができる。
【０１０２】
［第３の実施の形態］
次に、第３の実施の形態における写真自動販売機について説明を行なう。
【０１０３】
第３の実施の形態における写真自動販売機の外観は、図１に示される第１の実施の形態における写真自動販売機の概観と同様であるため、ここでの説明は繰返さない。また、本実施の形態における写真自動販売機に備えられる写真撮影装置１も、図２および図３に示される第１の実施の形態における写真撮影装置１の外観および構成と同様であるため、ここでの説明は繰返さない。
【０１０４】
第３の実施の形態の写真自動販売機は、上述の図１に示される第１の実施の形態の写真自動販売機とは異なる背景２を備える写真自動販売機である。
【０１０５】
本実施の形態における写真自動販売機は、一般的にトライビジョン方式と言われる方法で複数の背景画像が表示される背景２を備えることを特徴とする。以下に、本実施の形態における背景２を詳細に説明する。
【０１０６】
図１７は、第３の実施の形態における背景２の構成の概略図である。図１７を参照して、本実施の形態における背景２は、木製や金属製の板から構成される複数の四角面を含む多角柱である回転体２６からなる。なお、以降の説明においては、上述の多角柱を三角柱であるものとして説明を行なうが、背景２を構成する回転体２６の形状は三角柱に限定されず、三角形以上の多角形からなる多角柱であってもよい。
【０１０７】
次に、上述の背景２を構成する回転体２６について、詳細な説明を行なう。
図１８は、回転体２６を斜横方向から見た図である。図１８を参照して、回転体２６は、長方形である背景面２６２ａ，２６２ｂ，２６２ｃ（背景面２６２ａ，２６２ｂ，２６２ｃを代表させて背景面２６２と言う）と、三角形である２面とから構成される。さらに、回転体２６は、図示されない回転装置によって、回転中心２６１を中心として図１８に矢印に示される如く回転する。回転装置の回転動作は、写真撮影装置１の制御部１０１において制御されてもよいし、ユーザ９の操作によって機械的に制御されてもよい。
【０１０８】
さらに、上述の背景面２６２ａ，２６２ｂ，２６２ｃについて、詳細な説明を行なう。
【０１０９】
図１９は、背景面２６２の具体例を示す図である。
図１９を参照して、背景画像として異なる背景の描かれた複数の背景画像である背景画像Ａ，Ｂ，Ｃが用意されているものとする。このとき、図１９を参照して、背景面２６２は、各々の背景画像Ａ，Ｂ，Ｃの縦方向を、分割した分割画像から構成される。
【０１１０】
より具体的には、図１９を参照して、背景画像Ａの縦方向を３分割して、上から順にＡ１、Ａ２およびＡ３の分割画像を作成するものとする。また、同様に、Ｂ１、Ｂ２およびＢ３の分割画像と、Ｃ１、Ｃ２およびＣ３の分割画像とを作成するものとする。
【０１１１】
このとき、１つの回転体２６は、分割画像Ａ１，Ｂ１，Ｃ１を背景面２６２ａ，ｂ，ｃとして構成される。同様に、他の回転体２６２は、分割画像Ａ２，Ｂ２，Ｃ２および分割画像Ａ３，Ｂ３，Ｃ３を背景面２６２ａ，ｂ，ｃとして構成される。そして、背景２は、上述の３つの回転体２６が上から順に並べられた形態で構成される。
【０１１２】
上述の本実施の形態の写真自動販売機においても、上述の第１の実施の形態において図４に示される処理が実行される。以下に、図２０に示される具体例にそって、具体的に説明を行なう。図２０は、第３の実施の形態における図４のステップＳ１０４での処理の具体例を示す図である。
【０１１３】
図２０を参照して、ユーザ９は、下部ディスプレイ３０ｂに表示される背景画像Ａ、ＢおよびＣからなる背景２の表示より、所望する背景画像を選択する。
【０１１４】
すると、写真撮影装置１の制御部１０１は、選択された背景画像に応じた分割画像である背景面２６２が撮影方向に向かうように、図示されない回転装置を制御し、図２１に示される如く、背景２を構成する回転体２６を回転させる。図２１は、回転体２６の回転動作の具体例を示す図である。図２１に示される如く、背景２を構成する全ての回転体２６が回転し、選択された背景画像の分割画像である背景面２６が撮影方向を向くことで、被写体９０の背後の背景２には、写真の背景として選択された背景画像が表示される。
【０１１５】
本実施の形態における写真自動販売機が、上述の一般的にトライビジョン方式と言われる方法で複数の背景画像が表示される背景２を備えることで、背景を移動させる制御を行なうことなく、容易な制御で、写真の背景として複数種類の背景画像を切換えることができる。
【０１１６】
また、本実施の形態における写真自動販売機の備える背景２が、木製や金属製の板からなる回転体から構成されることで、布製の背景のように背景２自体がよじれることによって背景画像に影が入込むことも背景画像が歪むこともなく、美しい写真の背景画像を写真の背景とすることができる。
【０１１７】
さらに、従来の印刷技術においては、所定のサイズ以上の印刷媒体に写真等の印刷を行なうことが難しい。そのため、写真の背景としてカーテン等に写真や絵等の画像を印刷するには様々な制約がある場合が多い。しかし、本実施の形態における写真自動販売機では、所定のサイズ以上の背景画像であっても、回転体２６の背景面２６２に、所定サイズ以下に分割した分割画像を印刷して、複数の回転体２６からなる背景２を被写体９０の背後に備えるため、所定サイズ以上の、ダイナミックな背景画像を写真の背景とすることができる。このため、よりユーザの要望を満たす、オリジナリティの高い写真を提供することができる。
【０１１８】
なお、上述の第１〜第３の実施の形態における背景２を構成するものの向きは、上述の向きに限定されるものではない。具体的には、第１の実施の形態においては、レンチキュラレンズの向きおよび背景画像の分割方向は上述の横方向に限定されず、縦方向であってもよい。また、第２の実施の形態においては、カーテンが備えられる向きは上述の縦方向に限定されず、横方向であってもよい。さらに、第３の実施の形態においては、回転体である多角柱の向きは上述の横方向に限定されず、縦方向であってもよい。なお、上述の場合、写真自動販売機において背景画像を切換える際の制御方向は、各々の背景２を構成するものの向きに対応した制御方法であることは言うまでもない。
【０１１９】
さらに、上述の写真自動販売機が行なう背景の切換の制御方法を、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２０】
提供されるプログラム製品は、ハードディスクなどのプログラム格納部にインストールされて実行される。
【０１２１】
なお、プログラム製品は、プログラム自体と、プログラムが記録された記録媒体とを含む。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真自動販売機の外観の具体例を示す図である。
【図２】図１に示される写真撮影装置１の外観の具体例を示す図である。
【図３】図２に示される写真撮影装置１の構成を示す機能ブロック図である。
【図４】写真撮影装置１が備えられる本実施の形態の写真自動販売機において実行される処理を示すフローチャートである。
【図５】第１の実施の形態における背景２の構成の概略図である。
【図６】背景画面２１の具体例を示す図である。
【図７】背景２を真横から見た具体例を示す図である。
【図８】第１の実施の形態における図４のステップＳ１０４での処理の、第１の具体例を示す図である。
【図９】カメラ１０の位置を移動させる制御についての具体例を示す図である。
【図１０】第１の実施の形態における図４のステップＳ１０４での処理の、第２の具体例を示す図である。
【図１１】背景２を移動させる場合の、移動長さについての具体例を示す図である。
【図１２】第２の実施の形態における写真自動販売機の外観の具体例を示す図である。
【図１３】第２の実施の形態における背景２の構成の概略図である。
【図１４】第２の実施の形態において、背景を選択するために表示される下部ディスプレイ３０ｂの表示画面の具体例を示す図である。
【図１５】所定のカーテン２４を設置する制御についての具体例を示す図である。
【図１６】所定のカーテン２４を組合せて背景とする画面が構成される具体例を示す図である。
【図１７】第３の実施の形態における背景２の構成の概略図である。
【図１８】回転体２６を斜横方向から見た図である。
【図１９】背景面２６２の具体例を示す図である。
【図２０】第３の実施の形態における図４のステップＳ１０４での処理の具体例を示す図である。
【図２１】回転体２６の回転動作の具体例を示す図である。
【符号の説明】
１  写真撮影装置、２  背景、３  筐体、９  ユーザ、１０  カメラ、１０ａ上部カメラ、１０ｂ  下部カメラ、２０  照明、２０ａ  上部照明、２０ｂ  下部照明、２１  背景画面、２２  レンチキュラレンズ、２３  背景板、２４，２４ａ，２４ｂ，２４ｃ，２４ｄ  カーテン、２５  巻取装置、２６  回転体、３０  ディスプレイ、３０ａ  上部ディスプレイ、３０ｂ  下部ディスプレイ、４０  操作部、４１  入力装置、５０  コイン投入口、５１  コイン検出部、６０  取出口、６１  プリンタ、７０  スピーカ、１０１  制御部、１０２  記憶部、１０３  グラフィックＩ／Ｆ回路、１０４  サウンドＩ／Ｆ回路、１０５  画像補正部、１０６  画像合成部、１０７  表示選択回路、１０８  照明制御部、１０９  プリンタコントローラ、１１０  カウンタ、２６１  回転中心、２６２，２６２ａ，２６２ｂ，２６２ｃ  背景面、Ａ，Ｂ，Ｃ  背景画像、Ａ１，Ａ２，Ａ３，Ｂ１，Ｂ２，Ｂ３，Ｃ１，Ｃ２，Ｃ３  分割画像、Ｌ１，Ｌ２，Ｌ３
長さ、Ｐ１，Ｐ２，Ｐ３  位置。
【図１】
0003566706.tif 000002
【図２】
0003566706.tif 000003
【図３】
0003566706.tif 000004
【図４】
0003566706.tif 000005
【図５】
0003566706.tif 000006
【図６】
0003566706.tif 000007
【図７】
0003566706.tif 000008
【図８】
0003566706.tif 000009
【図９】
0003566706.tif 000010
【図１０】
0003566706.tif 000011
【図１１】
0003566706.tif 000012
【図１２】
0003566706.tif 000013
【図１３】
0003566706.tif 000014
【図１４】
0003566706.tif 000015
【図１５】
0003566706.tif 000016
【図１６】
0003566706.tif 000017
【図１７】
0003566706.tif 000018
【図１８】
0003566706.tif 000019
【図１９】
0003566706.tif 000020
【図２０】
0003566706.tif 000021
【図２１】
0003566706.tif 000022